(57)【要約】  本発明は全般的に２ブレードタービンナセルおよび関連するティータリングヒンジに関する。特定の実施形態において、本発明は、ハブおよび２つの二重エラストマーティータリングベアリングを備えるヒンジ組立体を提供する。いくつかの態様において、ベアリングは、より大きい組立体に組み込まれる前に制御された方法で予荷重され得る自己完結型要素である。【選択図】図１Ａ、図１Ｂ
2014519571.tif 000002
【特許請求の範囲】
【請求項１】
殻体を備えるハブと、
２つの角状部を有するタービンシャフトのＴ字形状のヘッド部と、
前記ハブ殻体と前記Ｔ字形状のシャフトヘッド部の前記２つの角状部との間に配置され、且つ各ティータリングベアリングは複数の金属−エラストマー要素を備える、少なくとも２つの二重エラストマーティータリングベアリングと
を含む、ティータリングヒンジ組立体。
【請求項２】
各金属−エラストマー要素は予荷重可能である、請求項１に記載のティータリングヒンジ組立体。
【請求項３】
前記ティータリングベアリングは自己完結型である、請求項２に記載のティータリングヒンジ組立体。
【請求項４】
前記ティータリングベアリングは前記ハブに予荷重を伝達しないよう動作可能に構成された、請求項３に記載のティータリングヒンジ組立体。
【請求項５】
前記予荷重は保守作業により変更可能である、請求項２に記載のティータリングヒンジ組立体。
【請求項６】
前記ティータリングベアリングのうちのそれぞれの前記複数の金属−エラストマー要素は、前記ハブ殻体と前記シャフトヘッド部の前記角状部との間で前記ハブ内に並列して据えられた、請求項１に記載のティータリングヒンジ組立体。
【請求項７】
前記ハブ殻体と前記金属−エラストマー要素との間で、および前記角状部と前記金属−エラストマー要素との間で、前記エラストマー要素を予荷重するために金属ウェッジまたは合成ウェッジをさらに備える、請求項６に記載のティータリングヒンジ組立体。
【請求項８】
前記ウェッジはネジにより前記ハブ殻体および前記角状部に固定され、各金属−エラストマー要素は前記ネジを操作することにより独立的に予荷重可能である、請求項７に記載のティータリングヒンジ組立体。
【請求項９】
前記複数の金属−エラストマー要素内の各金属−エラストマー要素は前記ハブから個別に取外可能であり、前記ティータリングヒンジの安定性に影響を及ぼすことなく新規の金属−エラストマー要素により置換可能である、請求項６に記載のティータリングヒンジ組立体。
【請求項１０】
前記ティータリングベアリングは、１）１つまたは複数の金属−エラストマー要素の故障の場合に前記ティータリングヒンジの安定性を保持するために、および２）異常な外的負荷の場合にその径方向変形を限定することにより前記金属−エラストマー物質を保護するために、前記金属−エラストマー要素の径方向変位を前記ハブ殻体と前記角状部との間に限定するよう構成された１つまたは複数の径方向スライドベアリングをさらに備える、請求項６に記載のティータリングヒンジ組立体。
【請求項１１】
径方向予荷重と軸方向予荷重との間の比は期待される外的負荷を鑑みて前記ウェッジの角度を設計することにより設定可能である、請求項６に記載のティータリングヒンジ組立体。
【請求項１２】
各金属−エラストマー要素は、互いから９０度だけ異なる２つの対称的な径方向軸（Ｘ，Ｙ）を有する、請求項６に記載のティータリングヒンジ組立体。
【請求項１３】
各金属−エラストマー要素はその長手方向軸に沿って９０度だけ回転されることが可能であり、それにより、前記Ｘ軸および前記Ｙ軸の位置を交換して前記金属−エラストマー要素の設計寿命を延長させることが可能である、請求項１２に記載のティータリングヒンジ組立体。
【請求項１４】
各金属−エラストマー要素は前記２つの二重ティータリングベアリングの任意の位置に取付可能である、請求項１に記載のティータリングヒンジ組立体。
【請求項１５】
前記金属−エラストマー要素の個数および寸法は、より大きい（数メガワット）タービン用のティータリングヒンジの製造が可能となるよう選択されることが可能である、請求項１に記載のティータリングヒンジ組立体。
【請求項１６】
前記金属−エラストマー要素の個数および寸法は、前記組立体の保守および修理が支援されるよう選択されることが可能である、請求項１に記載のティータリングヒンジ組立体。
【発明の詳細な説明】
【技術分野】
【０００１】
関連出願の相互参照
本願は、２０１１年５月１０日に出願された、米国仮特許出願第６１／４８４，３４３号の優先権を主張するものである。なお、同仮特許出願の内容は参照することにより本願に援用される。
【０００２】
本発明は全般的に洋上風力タービンおよび関連するティータリングヒンジに関する。
【背景技術】
【０００３】
風力発電は風力エネルギーを電気等のより有用な形態のエネルギーエネルギーに変換することを指す。風力エネルギーは、豊富、再生可能であり、広範に分布し、クリーンで、温室効果ガスを放出しないため、化石燃料に対する魅力的な代替物である。風力エネルギーは、現在、全世界の電気使用量の約１．５％を占め、世界で約８０の国々が商業ベースで風力発電を使用する（Ｗｏｒｌｄ  Ｗｉｎｄ  Ｅｎｅｒｇｙ  Ｒｅｐｏｒｔ  ２００８：  Ｒｅｐｏｒｔ，  Ｗｏｒｌｄ  Ｗｉｎｄ  Ｅｎｅｒｇｙ  Ａｓｓｏｃｉａｔｉｏｎ，  Ｆｅｂｒｕａｒｙ  ２００９；  ａｎｄ  Ｗｏｒｌｄｗａｔｃｈ  Ｉｎｓｔｉｔｕｔｅ：  Ｗｉｎｄ  Ｐｏｗｅｒ  Ｉｎｃｒｅａｓｅ  ｉｎ  ２００８  Ｅｘｃｅｅｄｓ  １０−ｙｅａｒ  Ａｖｅｒａｇｅ  Ｇｒｏｗｔｈ  Ｒａｔｅ，  Ｍａｙ  ２００９）。さらに、世界の風力発電能力は２０００年から２００６年の間で４倍以上となり、約３年毎に倍増される。
【０００４】
洋上風力タービンは深い海水に固有である強力な風力のエネルギーを利用して電力を提供する。エネルギー生産に必要とされるものであるが、これらの同じ強力な風が、タービンのロータブレードに作用する非対称的な負荷（曲げモーメントとして知られる）を生じさせてしまう。これらの高い負荷は引き続きタービンシャフトに、最終的にタービンのギヤボックスに伝達され、その結果、ギヤボックスが破損しタービンが利用不能となってしまう。曲げモーメントに関連する高い構造的負荷を緩和するための試みは、ロータブレードを、ティータリングヒンジとして知られる制限された枢動能力を有する可撓性構造物に取り付けることを含む。
【０００５】
従来のティータリングヒンジはブッシングまたはボールベアリングを使用する機械的装置に基づくものである。これらの装置は剛性であるため、従来のティータリングヒンジは急激な動的負荷を吸収する実質的な能力に欠ける。さらに、高い負荷が継続的に加えられることと、ヒンジの屈曲能力が制限されていることと、が組み合わされると、陥凹（ｐｉｔｔｉｎｇ）により金属ベアリングに劣化が生じてしまうこととなる。また、ロータブレード軸をシャフト軸に対して垂直な点に戻す必要性は、ベアリング自体の外側に位置する金属バネまたはエラストマーバネに基づく複雑な復心装置を必要とする。
【０００６】
他のティータリングヒンジは単一の金属−エラストマーベアリングに基づくものである。これらの装置においては、予荷重は制御または調節が不可能である。むしろ、予荷重はハブおよびシャフトに永久的に負荷を伝達することにより得られる。これにより、不必要であり潜在的に危険な応力がシステムの寿命にわたって生じることとなる。機械的装置に基づく従来のティータヒンジのように、これらのヒンジもまた、その信頼性が最適化されているとは言いがたいものである。
【発明の概要】
【発明が解決しようとする課題】
【０００７】
したがって、改善された信頼性、より良い耐久性、および高い構造的負荷の対処能力を有する、２ブレード風力タービンに対して好適なティータリングヒンジが必要とされる。
【課題を解決するための手段】
【０００８】
本発明は、全般には、２つの二重エラストマーティータリングベアリングを備えるティータリングヒンジ組立体に関する。２つの二重エラストマーティータリングベアリングを備えるティータリングヒンジ組立体は、ブッシングまたはボールベアリングに基づく既存のティータリングヒンジと比較して、改善された信頼性および負荷ピークに対処するための増強された能力を有することが知られている。金属ベアリングに基づく既存のティータリングヒンジとは異なり、本明細書に含まれるティータリングヒンジにおけるエラストマー要素の使用は、強力な風により生成される急激な動的負荷を吸収する能力と、通常のヒンジ組立体に劣化をもたらし得る小さいティータリング角度に対処する能力と、を与える。
【０００９】
本発明においては金属シムにより離間される予荷重可能なエラストマー要素を含む二重エラストマーティータリングベアリングが採用され、それにより、従来型の組立体と比較して、特定の利点が提供される。エラストマー層は従来の機械的ヒンジに関する同一種類の摩耗および剪断を受けることがなく、さらに負荷ピークの減衰を向上させる。その結果、ロータおよびシャフトに印加される応力が低下することとなる。本発明の特定の態様において、径方向スライドベアリング等の安全性要素を備えることは、エラストマー層に伝達される応力を制限し、エラストマー層が破損した場合における代替手段として機能する。
【００１０】
本発明に含まれる二重ティータリングベアリングは、ハブに組み込まれる前に予荷重により予め応力が印加されるよう設計され、さらに、予荷重が組立体の寿命期間にわたり調節可能であるよう設計される。加えて、考察されるティータリングベアリングは、複数の金属−エラストマー要素から構成される。各金属−エラストマー要素は、個別に予荷重可能であり、さらに、他の金属−エラストマー要素に影響を及ぼすことなくベアリングから個別に取外可能である。エラストマー要素に加えて、考察される組立体の他の多数の構成要素も、他の構成要素に影響を及ぼすことなく取外可能である。本発明に含まれるこれら構成要素が個別に取外可能であるため、ティータリングベアリングの保守作業および修理が容易となる。本発明は、タービンハブに組み込まれた場合でさえも、自己完結型ユニットであるティータリングベアリングも含む。本発明に含まれるティータリングベアリングが自己完結型ユニットとして機能し得るため、エラストマー要素の予荷重はティータリングシステムに限定されて、関連するハブには伝達されない。
【００１１】
本発明の特定の実施形態において、組立体が提供される。この組立体は、ハブと、ハブの開口部に配置された少なくとも２つの二重エラストマーティータリングベアリングと、を備える。特定の態様において、ティータリングベアリングは予荷重可能なティータリングベアリングである。予荷重可能なティータリングベアリングは、ハブに組み込まれる前に予荷重可能である。ティータリングベアリングは、ハブからは分離した自己完結型ユニットも含み得る。本発明の他の実施形態において、自己完結型ティータリングベアリングは予荷重をハブに伝達しないよう動作可能に構成される。ティータリングベアリングは、いくつかの実施形態において、ハブの内側に配置されたＴ字形状のタービンシャフトヘッド部の対向端部に取り付けられる。特定の実施形態において、ティータリングベアリングは、その構成要素の中に複数の金属−エラストマー要素を有する。各金属−エラストマー要素は個別に予荷重可能であり、さらに、各金属−エラストマー要素は個別にティータリングベアリングから取外可能である。本発明の他の態様は、ティータリングベアリングによる担持が可能な定格力を超過する力を受容するよう、またはエラストマー要素の破損の際にロータハブの変位を限定するよう、動作可能に構成された、エラストマーティータリングベアリングに連結されたスライドベアリングを含む。これらの実施形態に加えて、本発明の追加的な態様は、本開示を読むと明らかになるであろう。
【図面の簡単な説明】
【００１２】
【図１Ａ】異なる観点から見た本発明の１つの実施形態を示す図である。
【図１Ｂ】異なる観点から見た本発明の１つの実施形態を示す図である。
【図１Ｃ】異なる観点から見た本発明の１つの実施形態を示す図である。
【図１Ｄ】異なる観点から見た本発明の１つの実施形態を示す図である。
【図１Ｅ】異なる観点から見た本発明の１つの実施形態を示す図である。
【図２Ａ】異なる観点から見た本発明の他の実施形態を示す図である。
【図２Ｂ】異なる観点から見た本発明の他の実施形態を示す図である。
【図２Ｃ】異なる観点から見た本発明の他の実施形態を示す図である。
【図２Ｄ】異なる観点から見た本発明の他の実施形態を示す図である。
【図２Ｅ】異なる観点から見た本発明の他の実施形態を示す図である。
【図３Ａ】異なる観点から見た本発明のさらに他の実施形態を示す図である。
【図３Ｂ】異なる観点から見た本発明のさらに他の実施形態を示す図である。
【図３Ｃ】異なる観点から見た本発明のさらに他の実施形態を示す図である。
【図３Ｄ】異なる観点から見た本発明のさらに他の実施形態を示す図である。
【図３Ｅ】異なる観点から見た本発明のさらに他の実施形態を示す図である。
【発明を実施するための形態】
【００１３】
本発明は、ハブと２つの二重エラストマーティータリングベアリングとを備えるヒンジ組立体を提供する。金属ベアリングまたはブッシングを内蔵する従来の組立体とは対比的に、エラストマー要素を使用すると、組立体において、劣化に対する耐性が改善され、負荷ピークを減衰させる能力が向上し、タービンロータおよびシャフトに印加される応力が低減されることとなる。
【００１４】
本発明の特定の実施形態において、ティータリングベアリングはハブの開口部に配置される。ティータリングベアリングのための開口部はハブ内の任意の場所でよい。しかしいくつかの実施形態においては、ベアリングのために２つの開口部が存在し、各開口部はハブ上で互いに対して直接的に対向して配置される。特定の実施形態において、ティータリングベアリングは、Ｔ字形状のタービンシャフトヘッド部すなわちシャフトヘッド部の角状部の対向端部に取り付けられるよう動作可能に構成される。シャフトヘッド部の角状部は、取り付けられたティータリングベアリングが開口部に配置されるよう、ハブ上の開口部に対応するであろう。
【００１５】
各二重エラストマーティータリングベアリングは、２つのエラストマー層を、したがって１つの二重エラストマーティータリングベアリングを、備える。エラストマー層自体は複数のエラストマー要素からなる。したがって、これらの層を含む各エラストマーティータは複数のエラストマー要素を含む。エラストマー要素のために、本発明に含まれるティータリングベアリングは予荷重可能であり、特定量の圧縮がエラストマー要素に導入され得る。本発明により考察されるエラストマー要素は予荷重の制御を可能にする。以下の実施形態に詳細に説明されるように、各エラストマー要素の予荷重は互いに対して独立的に調節可能である。さらに、以下で詳細に説明されるように、ティータリングベアリング内の各エラストマー要素は、他のエラストマー要素から独立的に取外可能である。加えて、ティータ組立体の他の構成要素も、組立体内の他の構成要素に対して独立的に取外可能である。例えば、各エラストマー要素は、エラストマー要素の一方端上で、ベアリングの分化された内側部分と、エラストマー要素の他方端上で、分化された外側部分と、に連結され得る。各分化された区域（内側部分、外側部分、およびその間のエラストマー要素）は個別のウェッジと連合される。なお、この個別のウェッジは、締結装置（例えばネジ）との組み合わせにより、個別に予荷重を調節することを可能にする。弾力部分の予応力は、弾力部分とティータリングベアリングの外部殻体との間に配置されたウェッジのシステムを用いて一般に径方向（一般に外部負荷の方向）に弾力部分を圧縮することにより達成され得る。構成要素が独立していることは、ベアリングからの取り外しおよびベアリングへの設置も支援する。したがって、本発明の特定の実施形態に含まれる構成要素は、ヒンジ組立体の保守および修理のためのアクセスがより容易である。
【００１６】
いくつかの実施形態において、ティータリングベアリングは、エラストマー要素から力を受け取るよう動作可能に構成されたスライドベアリングをさらに備える。スライドベアリングはエラストマーティータに連結され、過度の応力からエラストマー部分を保護し得る。その結果、ティータリングベアリングの全体的な信頼性が向上することとなる。以下の実施形態でさらに説明されるように、ティータリングベアリングは、エラストマー要素に生じ得る摩耗を早期検出することを可能にする監視センサの他にも、エラストマー部分の境界を視覚的に調査することを可能にする光学センサも、備え得る。さらに、ティータリングベアリングは、振動サイクルを経験する間に動作中のヒンジにおけるエラストマー要素の挙動を監視する能力を有するセンサを備え得る。他の実施形態において、ティータリングベアリングは、ベアリング内の構成要素を潜在的に腐食させる得る太陽および塩分を含む空気の効果からベアリングを保護するカバーを備え得る。
【００１７】
本発明に係る組立体が図１Ａ、１Ｂ、１Ｃ、１Ｄ、および１Ｅに表される。  図１Ａは２ブレードロータおよび関連するハブの構成を示す。ハブ１０１は、実質的に、２本のブレード（図示せず）が取付ポイント１０２において取り付けられた殻体である。ハブ１０１は、シャフトヘッド部１０３のための開口部と、カバー１０５の下方に取り付けられたティータリングベアリング１０４（図１Ａには図示せず）のための対向側面上に配置された２つの開口部と、を備える。図１Ｂはハブ組立体の断面図であり、シャフトヘッド部１０３およびシャフトヘッド部１０３の対向する角状部上に配置された２つのティータリングベアリング１０４とともに、ハブ１０１の内側を示す。
【００１８】
図１Ｃはティータリングベアリング１０４の拡大図を表す。ティータリングベアリング１０４は外側殻体１０７と、内側殻体１０８と、中央スリーブ１０９と、互いに対して積み重ねられた２対の金属−エラストマー要素１１０および１１１と、からなる。なお、各金属−エラストマー要素は、交替する金属シム１１２およびエラストマー層１１３を含む。キー１１４がこれらの部品の相互回転を防ぐために設置されているが、他の回転防止装置も本発明において用いられ得る。ティータリングベアリング１０４はネジ１１５によりハブ１０１に固定される。なお、他の締結装置も用いられ得る。スライドベアリング１１６は、ティータリングベアリングを過度の応力から保護し、エラストマー層の破損の場合に支援するものであって、保持要素１１７によりシャフトヘッド部１０３の角状部の端部に固定される。特定の実施形態においては、複数のスライドベアリングが所望により取り付けられ得る。リング１１８は、径方向の間隙を制限し軸方向における自由な移動をスライドベアリングに与えるものであって、図示する差動変圧器１１９等の位置センサまたは環状センサを受容するために設置され得る。センサの個数および位置は所望により調節可能である。カバー１０５は洋上環境では一般的である太陽および塩分を含む空気の悪影響からティータリングベアリング１０４を保護する。
【００１９】
図１Ｄは、ハブ１０１から取り外されてカバー１０５がない状態にあるティータリングベアリング１０４を示す。図示のように、ティータリングベアリング１０４は外側殻体１０７と、内側殻体１０８と、中央スリーブ１０９と、互いに対して積み重ねられた２対の金属−エラストマー要素１１０および１１１と、からなる。金属−エラストマー要素１１０および１１１のテーパ形状は中央スリーブ１０９、外側殻体１０７、および内側殻体１０８のテーパ形状と合致する。したがって、ティータリングベアリング１０４の予荷重は、関連する固定用ネジ１１５を締めることにより内側殻体１０８を外側殻体１０７に対して軸方向に付勢することにより得られる。本発明に含まれる構成要素の構成は、初期予荷重が製造業者において調整された状態で、ハブ１０１に設置される前に、ティータリングベアリング１０４を予め組み立てることを可能にする。
【００２０】
図１Ｅは金属−エラストマー要素１１０および１１１を詳細に示す。図示のように、金属−エラストマー要素１１０および１１１の両方はテーパ形状である。係る金属−エラストマー要素の個数は必要に応じて変化され得る。さらに、金属−エラストマー要素は、１つの環状要素から構成されてもよく、または所望によりより多くの領域から構成されてもよい。キー１１４がこれらの部品の相互回転を防ぐために設置されているが、他の回転防止装置も用いられ得る。金属−エラストマー要素１１０および１１１のそれぞれは、交替する金属シム１１２とエラストマー結合層１１３とからなる。シム１１２およびエラストマー層１１３の個数および厚さは所望により調節可能である。
【００２１】
本発明の他の態様が図２Ａ、２Ｂ、２Ｃ、２Ｄ、および２Ｅに示される。図２Ａは２ブレードロータおよび関連するハブの構成を示す。ハブ２０１は、実質的に、２本のブレード（図示せず）が取付ポイント２０２において取り付けられた殻体である。ハブ２０１は、シャフトヘッド部２０３のための開口部と、カバー２０５の下方に取り付けられたティータリングベアリング２０４（図１Ａには図示せず）のための対向側面上に配置された２つの開口部と、を備える。
【００２２】
図２Ｂはハブ組立体の断面図であり、シャフトヘッド部２０３およびシャフトヘッド部２０３の対向する角状部上に配置された２つのティータリングベアリング２０４とともに、ハブ２０１の内側を示す。図２Ｂは、ティータリングベアリング２０４、およびシャフトヘッド部２０３の角状部とハブ２０１との間にある構成要素の構成も示す。さらに、外側殻体２１１と、分化された内側殻体２０６と、分化された中央スリーブ２０７と、互いに対して積み重ねられた２対の金属−エラストマー要素２０８の詳細な図とともに、ティータリングベアリング２０４の断面も図示される。これらのパーツの相互回転を避けるために、金属−エラストマー要素２０８は、隣接部分に機械加工された対応する凹陥部に嵌合する正方形または準正方形の端部を有する。望ましくない相互回転は、キー、ピン、および同様の機能を有する他の装置を用いて防ぐことが可能である。ティータリングベアリング２０４はネジ２０９によりハブ２０１およびシャフトヘッド部２０３に固定される。なお、他の締結装置も用いられ得る。スライドベアリング２１０は、ティータリングベアリングを応力ピークから保護し、エラストマー層の破損の場合に支援するものであって、外側殻体２１１の内側端部に設置および固定される。スライドベアリング２１０の形状および位置は必要に応じて変更され得る。加えて、本発明は複数のスライドベアリングを含み、係るスライドベアリングは、必要に応じて、金属−エラストマー要素２０８の内部に、または金属−エラストマー要素２０８に平行に取り付けられうる。特定の実施形態において、位置センサは、作動中のティータリングベアリング２０４の変位を監視するために設置され得る。カバー２０５は洋上環境における太陽および塩分を含む空気の悪影響からティータリングベアリング２０４を保護する。
【００２３】
図２Ｃはティータリングベアリング２０４の拡大図を表す。ティータリングベアリング２０４は外側殻体２１１と、分化された外側スリーブ２０６と、分化された中央スリーブ２０７と、互いに対して積み重ねられた２つの円形アレイに配列された２つの分化された金属−エラストマー要素２０８と、を備える。特定の実施形態において、外側スリーブ２０６、中央スリーブ２０７、および金属−エラストマー要素２０８の部分は、シャフトヘッド部２０３の角状部の軸に沿って径方向平面によりヒンジを切断することにより得られる。様々なスリーブにおける部分の個数は必要に応じて変更可能である。特定の実施形態において、スリーブは分化されない。中央スリーブ２０７の各要素は二重ウェッジ形状であり得、ネジ２０９によりシャフトヘッド部２０３の角状部に接合される。外側スリーブ２０６の各構成要素は簡単なウェッジ形状であり得、ネジ２０９により外側殻体２１１に接合される。さらに、金属−エラストマー要素２０８の各二重要素は、外側殻体２１１、中央スリーブ２０７の構成要素、および外側スリーブ２０６の構成要素の間の空間内に制約される。
【００２４】
図２Ｄに示すように、金属−エラストマー要素２０８のそれぞれは、エラストマー結合層２１３により割り込まれる金属シム２１２から構成される。これらの層の個数および厚さは所望により調節可能である。各金属−エラストマー要素２０８の端部における金属シム２１２は、隣接部分に機械加工された対応する凹陥部に嵌合し、図２Ｅに示すように、正方形または準正方形の形状を有し得る。正方形の端部を凹陥部分に嵌合することは、金属−エラストマー要素２０８の望ましくない回転を防止することを支援する。キーまたはピンを含むがこれらに限定されない回転防止のための他の手段も用いられ得る。端部シム２１２の幾何学的形状は、図２Ｅに示すように、ｘ軸がシャフトヘッド部２０３の角状部の軸に平行な状態またはＹ軸がシャフトヘッド部２０３の角状部の軸に平行な状態という２つの可能な姿勢で金属−エラストマー要素２０８を取り付けることを可能にする。金属−エラストマー要素２０８のテーパ形状は中央スリーブ２０７、外側殻体２１１、および外側スリーブ２０６のテーパ形状と合致する。したがって、ティータリングベアリングの各金属−エラストマー要素２０８は、金属−エラストマー要素２０８の内側アレイに対してはそのネジ２０９を締めることにより中央スリーブ要素２０７を付勢することにより、および金属−エラストマー要素２０８の外側アレイに対してはそのネジ２０９を締めることにより外側スリーブ要素２０６を外側殻体２１１に付勢することにより、個別に予荷重可能である。結果として生じる予荷重は、軸方向成分および径方向成分を有するであろう。特定の用途に応じて、金属エラストマー要素２０８のテーパ形状は、これら２つの成分の要求される比を満足するよう、設計され得る。図２Ｅは金属−エラストマー要素２０８のテーパ形状を示す。なお、金属−エラストマー要素２０８は、いくつかの実施形態において、剪断応力の最適な分布のために、より大きい直径が中央スリーブ２０７に対向する状態で取り付けられる。
【００２５】
本発明の他の態様が図３Ａ、３Ｂ、３Ｃ、３Ｄ、および３Ｅに示される。図３Ａは２ブレードロータおよび関連するハブの構成を示す。ハブ３０１は、実質的に、２本のブレード（図示せず）が取付ポイント３０２において取り付けられた殻体である。ハブ３０１は、シャフトヘッド部３０３のための開口部と、カバー３０５の下方に取り付けられたティータリングベアリング３０４（この図面には図示せず）のための対向側面上に配置された２つの開口部と、を備える。
【００２６】
図３Ｂはハブ組立体の断面図であり、シャフトヘッド部３０３およびシャフトヘッド部３０３の対向する角状部上に配置された２つのティータリングベアリング３０４とともに、ハブ３０１の内側を示す。図３Ｂは、ティータリングベアリング３０４、およびシャフトヘッド部３０３の角状部とハブ３０１との間にある構成要素の構成も示す。図３Ｂに示すように、ティータリングベアリング３０４は外側殻体３０６と、金属−エラストマー要素３０７の二重冠部と、金属−エラストマー要素３０７と外側殻体３０６との間のウェッジ３０８および３０９の冠部と、を備える。ハブ３０１にシャフトヘッド部３０３を配置し、外側殻体３０６を設置した後、金属−エラストマー要素３０７の内側冠部はシャフトヘッド部３０３の角状部と外側殻体３０６との間に設置され、ウェッジ３０９を挿入することにより、最終的な位置に固定される。金属−エラストマー要素３０７の外側冠部はシャフトヘッド部３０３の角状部とウェッジ３０９の上方端部との間に設置され、ウェッジ３０８の挿入により固定される。金属−エラストマー要素３０７の両方の冠部は、シャフトヘッド部３０３の角状部に沿って固定ピース３１１により軸方向に制限される。金属−エラストマー要素３０７のテーパ形状のために、予荷重は、ウェッジ固定用バネ３１０を締めることにより、内側の冠部に対しては金属−エラストマー要素３０７と外側殻体３０６との間のウェッジを付勢することにより、および外側冠部に対しては金属−エラストマー要素３０７とウェッジ３０９の上方部分との間のウェッジ３０８を付勢することにより、達成されることが可能である。ウェッジ固定用リップ部とその上部表面との間の間隙は、好適なシムにより充填されるよう、残しておくとよい。これにより、エラストマー化合物の弛緩を補償するために、後に予荷重の調節が可能となる。
【００２７】
図３Ｂにさらに示されるように、ティータリングベアリング３０４の外側殻体３０６は、ネジ３１８の冠部によりハブ３０１において接合される。いくつかの実施形態において、シムは、誤差の連鎖に関連して外側殻体３０６のフランジの下方で用いられ得る。２つのスライドベアリング３１６および３１７がシャフトヘッド部３０３の各角状部上に存在する。スライドベアリング３１６および３１７は応力ピークからティータリングベアリング３０４を保護し、エラストマー層の破損の場合に支援する。スライドベアリング３１６および３１７は、シャフトヘッド部３０３の角状部と外側殻体３０６との間の自由な軸方向変位も可能にする。スライドベアリング３１６は固定ピース３１１上に設置され、保持要素３１８により固定される。スライドベアリング３１７は外側殻体３０６に螺入された領域からなる。これらのスライドベアリングの形状、個数、および位置は必要に応じて変動可能である。また、複数のスライドベアリングが、必要に応じて、内部に、または各金属シム上に、取り付けられ得る。さらに、特定の実施形態において、トランスデューサが径方向変位および角度変を監視するために設置され得る。加えて、キー３１９等の回転防止装置が、これらの部品の相互回転を防ぐために用いられ得る。同じ理由のために、金属−エラストマー要素３０７は、ウェッジ３０８および３０９と外側殻体３０６とにより、横方向に案内される。カバー３０５は洋上環境における太陽および塩分を含む空気の悪影響からティータリングベアリング３０４を保護する。
【００２８】
図３Ｃは、ハブ３０１から取り外されてカバー３０５がない状態にあるティータリングベアリング３０４の拡大図を示す。図３Ｄは金属−エラストマー要素３０７をより詳細に示す。金属−エラストマー要素３０７は、テーパ形状を有し、シャフトヘッド部３０３の角状部に嵌合するウェッジ形状の金属ピース３１２と、ウェッジ３０８および３０９の凹陥部の内部に嵌合する外側プレート３１３と、エラストマー結合層３１５により割り込まれる金属シム３１４と、からなる。これらの層の個数および厚さは必要に応じて調節可能である。本発明のいくつかの実施形態において、金属−エラストマー要素３０７は両方の冠部に対して同一であり、一方、他の実施形態においては、金属−エラストマー要素３０７は異なる。さらに、金属−エラストマー要素の個数および形状は必要に応じて変更可能である。図３Ｅは、図３Ｄに示す金属−エラストマー要素３０７の上面図を提供する。
【００２９】
上述の実施形態はヒンジ組立体を説明する。なお、このヒンジ組立体において、２ブレードタービンロータのハブとシャフトヘッド部との間のリンクは、ヨーイングおよび横方向運動を生じさせることなしにフラップ方向（ｆｌａｐ−ｗｉｓｅ）のブレード回転を可能にするティータリングヒンジにより達成される。ヒンジ組立体は２つの予荷重された二重ティータリングベアリングを備える。各二重ティータリングベアリングは、外側金属部分とＴ字形状のシャフトヘッド部の正反対に対向する端部すなわち角状部との間に制約された金属−エラストマー要素の２つの冠部からなる。この組立体のねじり剛性は、平行して作動し径方向および軸方向の実質的な剛性を確保するティータにより提供される。金属−エラストマー層の個数は、ティータリングサイクルにより生じる剪断歪みが制限されるよう、および十分な圧縮弾性率が達成されるよう、変更されることが可能である。本発明に含まれる径方向スライドベアリングは、径方向変位と、その結果として生じ得るエラストマー要素の破損と、を制限する。スライドベアリングは、エラストマー要素が破損した場合に、径方向負荷に対処するよう機能する。上述の実施形態に示されるように、本発明に含まれる組立体は、洋上環境に一般的である太陽および塩分を含む空気の悪影響から下方にある組立体を保護するために、エラストマー部品およびティータカバーの径方向歪み、軸方向歪み、およびねじり歪みを検出する能力を有するセンサも備え得る。
【００３０】
ヒンジ組立体において２つの二重エラストマーベアリングを用いることは、最終的にはギヤボックスの破損の原因となり得るドライブトレインの曲げモーメントを顕著に低減することが可能である。様々な実施形態で説明される他の要素は、考察されるヒンジ組立体の信頼性および耐久性の他にも、高いピーク負荷を勝利するヒンジ組立体の能力を、さらに向上させる。
【００３１】
参照による援用
特許、特許出願、特許公報、刊行物、書籍、新聞、ウェブコンテンツ等の他の文献に対する参照および引用が、本開示を通じて行われている。係る全部の文献は、あらゆる目的のためにそれらの全体を参照することにより本明細書に援用される。
【００３２】
等価物
本発明は、本発明の精神または本質的特徴から逸脱することなく、他の特定の形態において具体化され得る。したがって、前述の実施形態は、あらゆる側面において、本明細書に説明する本発明を限定するものとしてよりもむしろ例示として考えられるべきである。したがって、本発明の範囲は、むしろ前述の明細書によるよりも添付の請求項により示される。したがって、請求項の等価物の意味および範囲に含まれるすべての変更例は本発明に含まれることを意図するものである。
【図１Ａ】
2014519571.tif 000003
【図１Ｂ】
2014519571.tif 000004
【図１Ｃ】
2014519571.tif 000005
【図１Ｄ】
2014519571.tif 000006
【図１Ｅ】
2014519571.tif 000007
【図２Ａ】
2014519571.tif 000008
【図２Ｂ】
2014519571.tif 000009
【図２Ｃ】
2014519571.tif 000010
【図２Ｄ】
2014519571.tif 000011
【図２Ｅ】
2014519571.tif 000012
【図３Ａ】
2014519571.tif 000013
【図３Ｂ】
2014519571.tif 000014
【図３Ｃ】
2014519571.tif 000015
【図３Ｄ】
2014519571.tif 000016
【図３Ｅ】
2014519571.tif 000017
【国際調査報告】
2014519571.tif 000018
2014519571.tif 000019